(57)【特許請求の範囲】
【請求項１】
信号光を送信する送信器と、前記信号光をコヒーレント受信する受信器を備える光アクセスネットワークであって、
前記送信器は、
２つの送信側波長可変光源と、前記２つの送信側波長可変光源の出力光のいずれか一方を送信光として選択する送信側光スイッチを含む送信光源と、
前記送信光をアナログ信号で変調して前記信号光を生成する変調器と、
前記２つの送信側波長可変光源の波長変更と、前記送信側光スイッチの経路切換を制御する送信側波長制御部と、
を備え、
前記受信器は、
２つの受信側波長可変光源と、前記２つの受信側波長可変光源の出力光のいずれか一方を局部発振光として選択する受信側光スイッチを含む局部発振光源と、
前記信号光と前記局部発振光を干渉させ電気信号を生成するコヒーレント受信部と、
前記２つの受信側波長可変光源の波長変更と、前記受信側光スイッチの経路切換を制御する受信側波長制御部と、
を備え、
前記送信側波長制御部及び前記受信側波長制御部が、前記送信光源が生成する送信光と、前記局部発振光源が生成する局部発振光の波長を、適用順に記載した波長変換テーブルを備え、
前記送信側波長制御部は、前記波長変換テーブルに基づいて、前記２つの送信側波長可変光源の波長変更と、前記送信側光スイッチの経路切換を制御し、
前記受信側波長制御部は、前記波長変換テーブルに基づいて、前記２つの受信側波長可変光源の波長変更と、前記受信側光スイッチの経路切換を制御する
ことを特徴とする光アクセスネットワーク。
【請求項２】
前記波長変換テーブルは、
前記２つの送信側波長可変光源の波長変更と、前記送信側光スイッチの経路切換のタイミング、及び
前記２つの受信側波長可変光源の波長変更と、前記受信側光スイッチの経路切換のタイミング
の情報を含むことを特徴とする請求項１に記載の光アクセスネットワーク。
【請求項３】
前記２つの送信側波長可変光源の波長変更と、前記送信側光スイッチの経路切換のタイミング、及び、前記２つの受信側波長可変光源の波長変更と、前記受信側光スイッチの経路切換のタイミングの情報は、前記送信器及び前記受信器の間で送受信される
ことを特徴とする請求項１に記載の光アクセスネットワーク。
【請求項４】
前記２つの送信側波長可変光源が、高熱伝導材料で形成された１つの固定台に固定され、
前記２つの受信側波長可変光源が、高熱伝導材料で形成された他の固定台に固定されている
ことを特徴とする請求項１〜３のいずれか一項に記載の光アクセスネットワーク。
【請求項５】
前記２つの送信側波長可変光源は、温度により波長が制御され、一方の設定温度が環境温度より低く、他方の設定温度が環境温度より高く設定され
前記２つの受信側波長可変光源は、温度により波長が制御され、一方の設定温度が環境温度より低く、他方の設定温度が環境温度より高く設定される
ことを特徴とする請求項１〜４のいずれか一項に記載の光アクセスネットワーク。
【請求項６】
請求項１〜５のいずれか一項に記載の光アクセスネットワークにおける波長制御方法であって、
前記送信側波長制御部は、
一方の送信側波長可変光源の出力光を送信光として選択しているときに、他方の送信側波長可変光源の波長を、前記波長変換テーブルに基づいて次に適用する波長に設定する過程と、
前記送信側光スイッチを切り換える過程とを
順次に行い、
前記受信側波長制御部は、
一方の受信側波長可変光源の出力光を局部発振光として選択しているときに、他方の受信側波長可変光源の波長を、前記波長変換テーブルに基づいて次に適用する波長に設定する過程と、
前記受信側光スイッチを切り換える過程とを
順次に行う
ことを特徴とする波長制御方法。
【発明の詳細な説明】
【技術分野】
【０００１】
この発明は、受信側でコヒーレント受信を行う光アクセスネットワークと、この光アクセスネットワークにおける波長制御方法に関し、特に、送信側と受信側の光源の波長変更を行う技術に関する。
【背景技術】
【０００２】
近年、インターネットの普及等により通信需要が急速に増大している。それに対応して光ファイバ等を用いた高速かつ大容量の光アクセスネットワークが整備されつつある。このような光アクセスネットワークにおいて、高速かつ大容量化を実現するには、多重伝送技術が不可欠である。多重伝送技術としては、光時分割多重（ＯＴＤＭ：Ｏｐｔｉｃａｌ  Ｔｉｍｅ  Ｄｉｖｉｓｉｏｎ  Ｍｕｌｔｉｐｌｅｘｉｎｇ）技術及び波長分割多重（ＷＤＭ：Ｗａｖｅｌｅｎｇｔｈ  Ｄｉｖｉｓｏｎ  Ｍｕｌｔｉｐｌｅｘｉｎｇ）技術が、実用されつつあり、さらに光符号分割多重（ＯＣＤＭ：Ｏｐｔｉｃａｌ  Ｃｏｄｅ  Ｄｉｖｉｓｉｏｎ  Ｍｕｌｔｉｐｌｅｘｉｎｇ）技術の研究も盛んに行われている。
【０００３】
光アクセスネットワークの整備・拡大に呼応してサービスも多様化してきている。サービスごとに光アクセスネットワークに要求される条件が異なることから、サービスごとに光アクセスネットワークが構築される場合も多い。このため、異なるサービスを提供する既設及び新設の光アクセスネットワークが混在している。この結果、増加したサービスに対応するための光アクセスネットワークの導入コストや、管理コストが増加する。
【０００４】
このような事情から、サービスの追加や削除を容易に行うことができ、かつ、サービスごとに異なる、光アクセスネットワークへの要求を効率よく集約できる光アクセスネットワークが求められている。
【０００５】
このような光アクセスネットワークを実現する技術として、無線通信において普及している直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）を光ファイバ伝送に適用させた、コヒーレント光ＯＦＤＭ（ＣＯ−ＯＦＤＭ：Ｃｏｈｅｒｅｎｔ  Ｏｐｔｉｃａｌ−ＯＦＤＭ）が注目されている。
【０００６】
ＯＦＤＭは、互いに直交した複数の搬送波をそれぞれデジタル変調して多重する、マルチキャリア伝送技術である。デジタル変調の方法として、例えば、４値位相シフトキーイング（ＱＰＳＫ：Ｑｕａｄｒａｔｕｒｅ  Ｐｈａｓｅ  Ｓｈｉｆｔ  Ｋｅｙｉｎｇ）や直交振幅変調（ＱＡＭ：Ｑｕａｄｒａｔｕｒｅ  Ａｍｐｌｉｔｕｄｅ  Ｍｏｄｕｌａｔｉｏｎ）などの多値変調技術と組み合わせることで、限られた帯域幅を最大限に利用することができる。言い換えると、同じ情報量を伝送するのに必要な帯域幅を、最小限に抑えることができるので、サービスの追加や削除を容易に行うことができる。さらに、サービスごとに伝送容量や帯域幅を割り当てることができるので、異なるサービスを効率よく集約することもできる。
【０００７】
ここで、図５を参照して、ＣＯ−ＯＦＤＭシステムで用いられる、従来の送信器及び受信器を説明する。
【０００８】
送信器１５０では、送信信号Ｓ４９は、デジタルシグナルプロセッサ（ＤＳＰ：Ｄｉｇｉｔａｌ  Ｓｉｇｎａｌ  Ｐｒｏｃｅｓｓｏｒ）５２でデジタル変調された後、デジタル−アナログ変換器（ＤＡＣ：Ｄｉｇｉｔａｌ−ｔｏ−Ａｎａｌｏｇ  Ｃｏｎｖｅｒｔｅｒ）５４でアナログ信号に変換される。送信光源６０であるレーザダイオード（ＬＤ：Ｌａｓｅｒ  Ｄｉｏｄｅ）で生成される送信光が、このアナログ信号に基づいて変調器５６において変調され、ＯＦＤＭ信号光Ｓ６３として、伝送路に送出される。受信器１７０で受信されたＯＦＤＭ信号光Ｓ６９は、コヒーレント受信部７６において、局部発振（ＬＯ：Ｌｏｃａｌ  Ｏｓｃｉｌｌａｔｉｏｎ）光源８０からの局部発振（ＬＯ）光と干渉した後、アナログ−デジタル変換器（ＡＤＣ：Ａｎａｌｏｇ−ｔｏ−Ｄｉｇｉｔａｌ  Ｃｏｎｖｅｒｔｅｒ）７４でデジタル信号に変換される。このデジタル信号をＤＳＰ７２で復調することにより受信信号Ｓ７３が得られる。
【０００９】
なお、送信器１５０が備えるＤＳＰ５２及び受信器１７０が備えるＤＳＰ７２には、それぞれ制御信号Ｓ５１及びＳ７１が入力される。
【００１０】
このとき、受信器１７０のＬＯ光の波長、振幅及び位相が、送信光の、波長、振幅及び位相と等しい場合、すなわち、ＬＯ光と送信光がコヒーレントな場合、コヒーレント受信部７６でのＬＯ光と受信信号との干渉が強くなるので、より高い受信性能を得ることができる。さらに、ＣＯ−ＯＦＤＭシステムでは、伝送路となる光ファイバの波長分散（ＣＤ：Ｃｈｒｏｍａｔｉｃ  Ｄｉｓｐｅｒｓｉｏｎ）や偏波モード分散（ＰＭＤ：Ｐｏｌａｒｉｚａｔｉｏｎ  Ｍｏｄｅ  Ｄｉｓｐｅｒｓｉｏｎ）に対して優れた耐性を持つことが示されている。
【００１１】
このようなＣＯ−ＯＦＤＭシステムでは、周波数帯域幅の再調整だけでなく、周波数帯域の再配置により、周波数帯域利用効率を最適化することができる。
【００１２】
ＣＯ−ＯＦＤＭシステムにおける周波数帯域の再配置は、送信光源及びＬＯ光源として波長可変光源を用いて、送信光及びＬＯ光の波長変更を行うことで実現できる（例えば、特許文献１参照）。
【先行技術文献】
【特許文献】
【００１３】
【特許文献１】特開２０１０−１０９８４７号公報
【発明の概要】
【発明が解決しようとする課題】
【００１４】
しかしながら、波長可変光源での波長の変更に時間がかかる、送信光源と局部発振（ＬＯ）光源の波長変更の時間が異なる、などの理由から、波長変更の際には、全体の通信を中断せざるを得ないなどの不具合が生じる。
【００１５】
この発明は、上述の問題点に鑑みてなされたものであり、この発明の目的は、全体の通信を中断することなく、送信光及びＬＯ光の波長を変更可能な、コヒーレント受信を行う光アクセスネットワーク及び波長制御方法を提供することにある。
【課題を解決するための手段】
【００１６】
上述した目的を達成するために、この発明の光アクセスネットワークは、信号光を送信する送信器と、信号光をコヒーレント受信する受信器を備えて構成される。
【００１７】
送信器は、送信光源、変調器及び送信側波長制御部を備える。送信光源は、２つの送信側波長可変光源と、２つの送信側波長可変光源の出力光のいずれか一方を送信光として選択する送信側光スイッチを含んで構成される。変調器は、送信光をアナログ信号で変調して信号光を生成する。送信側波長制御部は、２つの送信側波長可変光源の波長変更と、送信側光スイッチの経路切換を制御する。
【００１８】
受信器は、局部発振光源、コヒーレント受信部及び受信側波長制御部を備える。局部発振光源は、２つの受信側波長可変光源と、２つの受信側波長可変光源の出力光のいずれか一方を局部発振光として選択する受信側光スイッチを含んで構成される。コヒーレント受信部は、信号光と局部発振光を干渉させ電気信号を生成する。受信側波長制御部は、２つの受信側波長可変光源の波長変更と、受信側光スイッチの経路切換を制御する。
送信側波長制御部及び受信側波長制御部が、送信光源が生成する送信光と、局部発振光源が生成する局部発振光の波長を、適用順に記載した波長変換テーブルを備え、送信側波長制御部は、波長変換テーブルに基づいて、２つの送信側波長可変光源の波長変更と、送信側光スイッチの経路切換を制御する。受信側波長制御部は、波長変換テーブルに基づいて、２つの受信側波長可変光源の波長変更と、受信側光スイッチの経路切換を制御する。
【００１９】
また、この発明の波長制御方法によれば、送信側波長制御部は、一方の送信側波長可変光源の出力光を送信光として選択しているときに、他方の送信側波長可変光源の波長を、波長変換テーブルに基づいて次に適用する波長に設定する過程と、送信側光スイッチを切り換える過程とを順次に行う。
【００２０】
また、受信側波長制御部は、一方の受信側波長可変光源の出力光を局部発振光として選択しているときに、他方の受信側波長可変光源の波長を、波長変換テーブルに基づいて次に適用する波長に設定する過程と、受信側光スイッチを切り換える過程とを順次に行う。
【発明の効果】
【００２１】
この発明の光アクセスネットワーク及び波長制御方法によれば、送信器及び受信器がそれぞれ２つの光源を備え、一方を信号光の送信及び受信のために使用しているときに、他方をあらかじめ次に使用する波長に設定できる。このため、波長の変更は、全体の通信を中断することなく、光スイッチの切換だけで行うことができる。
【図面の簡単な説明】
【００２２】
【図１】光アクセスネットワークを説明するための模式図である。
【図２】ＣＯ−ＯＦＤＭシステムの送信器及び受信器を説明するための模式図である。
【図３】ＴＬＤの固定台への取付け方法を説明するための模式図である。
【図４】ＴＬＤの設定温度を説明するための模式図である。
【図５】ＣＯ−ＯＦＤＭシステムで用いられる、従来の送信器及び受信器を説明するための模式図である。
【発明を実施するための形態】
【００２３】
以下、図を参照して、この発明の実施の形態について説明するが、各構成要素の形状、大きさ及び配置関係については、この発明が理解できる程度に概略的に示したものに過ぎない。また、以下、この発明の好適な構成例につき説明するが、各構成要素の材質及び数値的条件などは、単なる好適例にすぎない。従って、この発明は以下の実施の形態に限定されるものではなく、この発明の構成の範囲を逸脱せずにこの発明の効果を達成できる多くの変更又は変形を行うことができる。
【００２４】
（光アクセスネットワーク）
図１を参照して、光アクセスネットワークについて説明する。光アクセスネットワーク１０は、Ｍ（Ｍは１以上の整数）個の局舎端末（ＯＬＴ：Ｏｐｔｉｃａｌ  Ｌｉｎｅ  Ｔｅｒｍｉｎａｌ）２０−１〜Ｍと、Ｎ（Ｎは１以上の整数）個の加入者端末（ＯＮＵ：Ｏｐｔｉｃａｌ  Ｎｅｔｗｏｒｋ  Ｕｎｉｔ）３０−１〜Ｎで構成される。ＯＬＴ２０およびＯＮＵ３０は、それぞれ送信器と受信器で構成される。ＯＬＴ２０及びＯＮＵ３０は、同様に構成されるが、ＯＬＴは、さらに上層のネットワークと接続される点で、ＯＮＵと異なる。以下の説明において、ＯＬＴ２０からＯＮＵ３０への伝送を下り伝送（ＤＳ：Ｄｏｗｎ  Ｓｔｒｅａｍ）と称し、ＯＮＵ３０からＯＬＴ２０への伝送を上り伝送（ＵＳ：Ｕｐ  Ｓｔｒｅａｍ）と称することもある。
【００２５】
図２（Ａ）及び（Ｂ）を参照して、ＣＯ−ＯＦＤＭシステムの送信器及び受信器について説明する。図２（Ａ）は、送信器の模式図であり、図２（Ｂ）は受信器の模式図である。通常、ＯＬＴ２０及びＯＮＵ３０には、送信器５０及び受信器７０の両者が設けられる。
【００２６】
送信器５０は、ＤＳＰ５２、ＤＡＣ５４、第１の送信側波長可変光源６２、第２の送信側波長光源６４、送信側光スイッチ５８及び変調器５６を備えて構成される。また、送信器５０は、ＤＳＰ５２内に、送信側波長制御部９０を備えている。なお、送信側波長制御部９０を、上述した各構成要素とは別に、ＦＰＧＡ（Ｆｉｅｌｄ  Ｐｒｏｇｒａｍｍａｂｌｅ  Ｇａｔｅ  Ａｒｒａｙ）又はＭＰＵ（Ｍｉｃｒｏ−Ｐｒｏｃｅｓｓｉｎｇ  Ｕｎｉｔ）などで構成しても良い。
【００２７】
送信信号Ｓ４９は、ＤＳＰ５２でデジタル変調された後、ＤＡＣ５４でアナログ信号に変換される。送信光源である第１の送信側波長可変光源６２及び第２の送信側波長可変光源６４のいずれかで生成される送信光が、送信側光スイッチ５８を経て変調器５６に送られる。変調器５６は、アナログ信号に基づいて送信光を変調して、ＯＦＤＭ信号光Ｓ６３として、伝送路に創出する。
【００２８】
送信側波長制御部９０は、波長変換テーブルを備えている。波長変換テーブルは、ＣＯ−ＯＦＤＭシステムに割り当てる波長を運用する順に記したものである。送信側波長制御部９０は、波長変換テーブルに基づいて、第１の送信側波長可変光源６２及び第２の送信側波長可変光源６４の発振波長を制御する。また、送信側波長制御部９０は、波長変換テーブルに基づいて、送信側光スイッチ５８の経路を制御する。
【００２９】
受信器７０は、ＤＳＰ７２、ＡＤＣ７４、第１の受信側波長可変光源８２、第２の受信側波長可変光源８４、受信側光スイッチ７８及びコヒーレント受信部７６を備えて構成される。また、受信器７０は、ＤＳＰ７２内に、受信側波長制御部９２を備えている。なお、受信側波長制御部９２を、上述した各構成要素とは別に、ＦＰＧＡ又はＭＰＵなどで構成しても良い。
【００３０】
局部発振光源である第１の受信側波長可変光源８２及び第２の受信側波長可変光源８４のいずれかで生成されるＬＯ光が、受信側光スイッチ７８を経てコヒーレント受信部７６に送られる。
【００３１】
コヒーレント受信部７６は、受信器７０で受信したＯＦＤＭ信号光Ｓ６９と、ＬＯ光とを干渉させる。ＯＦＤＭ信号光Ｓ６９はＬＯ光と干渉した後、ＡＤＣ７４でデジタル信号に変換される。このデジタル信号をＤＳＰ７２で復調することにより受信信号Ｓ７３が得られる。
【００３２】
なお、受信器５０が備えるＤＳＰ５２及び送信器７０が備えるＤＳＰ７２には、それぞれ制御信号Ｓ５１及びＳ７１が入力される。
【００３３】
受信側波長制御部９２は、送信側波長制御部９０と同じ内容の波長変換テーブルを備えている。受信側波長制御部９２は、波長変換テーブルに基づいて、第１の受信側波長可変光源８２及び第２の受信側波長可変光源８４の発振波長を制御する。また、受信側波長制御部９２は、波長変換テーブルに基づいて、受信側光スイッチ７８の経路を制御する。
【００３４】
光アクセスネットワークが、図１を参照して説明したように、複数のＯＬＴ及びＯＮＵを備える場合、各ＯＬＴ及びＯＮＵは、共通の波長変換テーブルを備えている。
【００３５】
第１及び第２の送信側波長可変光源６２及び６４と、第１及び第２の受信側波長可変光源８２及び８４は、例えば、波長可変のレーザダイオード（ＴＬＤ：Ｔｕｎａｂｌｅ  Ｌａｓｅｒ  Ｄｉｏｄｅ）で構成することができる。
【００３６】
一般に、ＴＬＤの波長制御は、その温度制御によって行われる。従って、波長制御部は温度コントローラとしての機能を有するのが良い。なお、ＴＬＤの波長制御は、温度制御に限定されるものではなく、その仕様に基づいて他のパラメータで行ってもよい。
【００３７】
（波長制御方法）
図１及び２を参照して説明したＣＯ−ＯＦＤＭシステムにおける波長制御方法について説明する。ここでは、送信光及びＬＯ光の波長を第１の波長λ１、第２の波長λ２及び第３の波長λ３の順に切り換える例を説明する。
【００３８】
送信器５０では、第１の送信側波長可変光源６２の波長を第１の波長λ１とし、この第１の送信側波長可変光源６２で生成された光を送信光として用いる。一方、受信器７０では、第１の受信側波長可変光源８２の波長を第１の波長λ１とし、この第１の受信側波長可変光源８２で生成された光をＬＯ光として用いる。このとき、送信器５０及び受信器７０の間では、第１の波長λ１で通信が行われている。
【００３９】
次に、波長変換テーブルに従って、第１の波長λ１から第２の波長λ２に切り換える。この場合、送信器５０では、通信に使用していない第２の送信側波長可変光源６４の設定波長を第２の波長λ２とする。一方、受信器７０でも、通信に使用していない第２の受信側波長可変光源８４の設定波長を第２の波長λ２とする。
【００４０】
第２の送信側波長可変光源６４及び第２の受信側波長可変光源８４の波長が第２の波長λ２となった後、送信側光スイッチ５８及び受信側光スイッチ７８を切り換えて、第２の波長λ２での通信を開始する。なお、送信側光スイッチ５８及び受信側光スイッチ７８の切換については、予め波長変換テーブルに波長を変更するタイミングも規定しておくなどして、波長変換テーブルに従って、送信側光スイッチ５８及び受信側光スイッチ７８を切り換える構成にすればよい。あるいは、光アクセスネットワーク又は別のネットワークを用いて制御信号を送受信し、この制御信号による指示に応答して送信側光スイッチ５８及び受信側光スイッチ７８の切換を行う構成にしてもよい。
【００４１】
送信側光スイッチ５８及び受信側光スイッチ７８が切り換えられると、送信器５０及び受信器７０とでは、第２の波長λ２で通信が行われる。その後、通信に用いられなくなった第１の送信側波長可変光源６２及び第１の受信側波長可変光源８２の波長を、波長変換テーブルに記載されている第３の波長λ３に変更する。
【００４２】
このように、送信側光スイッチ５８及び受信側光スイッチ７８の切換によって波長が変更されるたびに、送信光源及びＬＯ光源として用いられなくなった波長可変光源の波長を、波長変換テーブルに基づいて次に適用される波長に設定しておく。
【００４３】
このように、送信側光スイッチ５８及び受信側光スイッチ７８が切り換えられる時点、すなわち、波長が変更される時点で、波長可変光源の波長が次に適用される波長に設定されている。このため、送信側光スイッチ５８及び受信側光スイッチ７８を切り換えるだけで、適用波長の変更が完了する。従って、波長可変光源における波長変更の時間に依存せずに波長を切り換えることができるので、全体の通信が中断される時間を従来に比べて短くできる。
【００４４】
（波長可変光源の固定）
図３を参照して、送信光源を構成する第１及び第２の送信側波長可変光源としての、ＴＬＤの設置方法について説明する。送信光源を構成する２つのＴＬＤは、同一の固定台に取り付けて、送信器又は受信器内に設置されるのが良い。ここで、固定台は、銅やアルミニウムなど熱伝導率が高い材料で構成さることが好ましい。
【００４５】
図３（Ａ）は、２つのＴＬＤ６２及び６４が固定台６６の同一面に固定される例を示している。また、図３（Ｂ）は、２つのＴＬＤ６２及び６４が固定台６８の対向面に固定される例を示している。
【００４６】
２つのＴＬＤの排熱面６２ａ及び６４ａが、固定台を介して接触していればよく、固定台の形状及びＴＬＤの取付け方法は、これらの例に限定されない。
【００４７】
図４を参照して、ＴＬＤの設定温度について説明する。図４は、ＴＬＤの設定温度を説明するための模式図である。図４では、横軸に温度を取って示し、縦軸に波長を取って示している。
【００４８】
ここで、第１の設定温度ＴＴＬＤ１と、第２の設定温度ＴＴＬＤ２が、環境温度ＥＴに対して、ＴＴＬＤ１＜ＥＴ＜ＴＴＬＤ２又はＴＴＬＤ２＜ＥＴ＜ＴＴＬＤ１を満たすように設定する。ここでは、ＴＴＬＤ１がＥＴよりも低く、ＴＴＬＤ２がＥＴよりも高い場合の例を説明する。第１の設定温度ＴＴＬＤ１では、ＴＬＤは波長λＴＬＤ１の光を生成し、第２の設定温度ＴＴＬＤ２では、ＴＬＤは波長λＴＬＤ２の光を生成する。
【００４９】
一方のＴＬＤ６２を第１の設定温度ＴＴＬＤ１とし、他方のＴＬＤ６４を第２の設定温度ＴＴＬＤ２とする。
【００５０】
この場合、第１の設定温度ＴＴＬＤ１が環境温度ＥＴより低いので、第１のＴＬＤ６２では冷却動作が実行される。このため、第１のＴＬＤ６２の排熱面６２ａから熱が放出される。一方、第２の設定温度ＴＴＬＤ２がＥＴより高いので、第２のＴＬＤ６４では加熱動作が実行される。このため、第２のＴＬＤ６４の排熱面６４ａから熱が吸収される。
【００５１】
ここで、第１のＴＬＤ６２の排熱面６２ａと第２のＴＬＤ６４の排熱面６４ａが、固定台６６又は６８を介して接触しているため、第１のＴＬＤ６２の冷却動作で排熱された熱が、第２のＴＬＤ６４の加熱動作に利用される。なお、図３（Ｂ）に示すように、固定台６８の対向面に第１及び第２のＴＬＤ６２及び６４を取り付けると、熱抵抗がより小さくなるので好ましい。
【００５２】
このように、第１のＴＬＤ６２と第２のＴＬＤ６４の一方の設定温度が環境温度ＥＴよりも低く、他方の設定温度が環境温度ＥＴより高くなるように設定することで、一方の冷却動作に伴って放出される熱を他方の加熱動作に利用できる。この結果、双方の温度制御の安定を向上させるとともに、温度制御の省電力化が図られる。
【００５３】
ここでは、送信光源の例を説明したが、局部発振光源についても同様に構成できる。
【符号の説明】
【００５４】
１０    光アクセスネットワーク
２０    ＯＬＴ    
３０    ＯＮＵ
５０、１５０    送信器
５２、７２    デジタルシグナルプロセッサ（ＤＳＰ）
５４    デジタル−アナログ変換器（ＤＡＣ）
５６    変調器
５８、７８    光スイッチ
６０    送信光源（ＬＤ）
６２、６４、８２、８４    波長可変光源（ＴＬＤ）
６６、６８    固定台
７０、１７０    受信器
７４    アナログ−デジタル変換器（ＡＤＣ）
７６    コヒーレント受信部
８０    局部発振（ＬＯ）光源
９０、９２    波長制御部
【要約】
【課題】全体の通信を中断することなく、送信光及びＬＯ光の波長を変更可能な、コヒーレント受信を行う。
【解決手段】送信器５０は、送信光源、変調器５６及び送信側波長制御部９０を備える。送信光源は、２つの送信側波長可変光源６２及び６４と、送信側光スイッチ５８を含んで構成される。変調器は、送信光をアナログ信号で変調して信号光を生成する。送信側波長制御部は、２つの送信側波長可変光源の波長変更と、送信側光スイッチの経路切換を制御する。受信器７０は、局部発振光源、コヒーレント受信部７６及び受信側波長制御部９２を備える。局部発振光源は、２つの受信側波長可変光源８２及び８４と、受信側光スイッチ７８を含んで構成される。コヒーレント受信部は、信号光と局部発振光を干渉させ電気信号を生成する。受信側波長制御部は、２つの受信側波長可変光源の波長変更と、受信側光スイッチの経路切換を制御する。
【選択図】図２【図１】
0005561402.tif 000002
【図２】
0005561402.tif 000003
【図３】
0005561402.tif 000004
【図４】
0005561402.tif 000005
【図５】
0005561402.tif 000006